(57)【要約】【課題】テープやディスクにＭＰＥＧ方式で記憶されている多くの画面の中から、簡単な方法で心に残る画面をスロー再生、コマ送り再生、静止画再生等の特殊再生を行うこと。【解決手段】テープやディスク等の記録媒体を再生する再生手段１から出力されるフレーム間圧縮画像信号をＭＰＥＧ復号化器２でベースバンドの画像信号に変換し、この画像信号を画像表示装置５で表示するとともに、このベースバンド画像信号のうち任意の一定区間の画面に相当するベースバンドの画像信号をメモリー６に記憶させておき、画像表示装置５に映される画面の中でユーザーが再度見たいと思うような画面を見出したときに、ＭＰＥＧ復号化器２の出力信号に切り換えてメモリー６からの画像信号を出力表示する。【選択図】　　図１
2004015438.tif 000002
【特許請求の範囲】
【請求項１】
フレーム間またはフィールド間圧縮された画像信号が記録された記録媒体を再生する再生手段と、該再生手段により再生されたフレーム間またはフィールド間圧縮画像信号をベースバンドの画像信号に変換する画像信号変換手段と、このベースバンド画像信号のうち任意の一定区間の画面に相当するベースバンドの画像信号を記憶する記憶手段と、該記憶手段の出力信号と前記画像信号変換手段の出力信号とを切り換えて出力する切換手段と、前記記憶手段及び前記切換手段を制御する制御手段とを備え、該制御手段の制御により前記記憶手段に蓄積された一定区間の画面に相当するベースバンドの画像信号の中から任意の画面に相当するベースバンド画像信号を選択し、前記画像信号変換手段からの出力信号に切換えて出力することを特徴とする動画像再生装置。
【請求項２】
請求項１記載の動画像再生装置において、前記フレーム間またはフィールド間圧縮された画像信号はＭＰＥＧストリームであることを特徴とする動画像再生装置。
【請求項３】
請求項１記載の動画像再生装置において、前記記憶手段は、少なくとも１ＧＯＰの画面を記録できる容量を有していることを特徴とする動画像再生装置。
【請求項４】
フレーム間またはフィールド間圧縮された画像信号が記録された第１の記録媒体を再生する再生手段と、該再生手段により再生されたフレーム間またはフィールド間圧縮画像信号をベースバンドの画像信号に変換する画像信号変換手段と、このベースバンド画像信号のうち任意の一定区間の画面に相当するベースバンドの画像信号を記憶する記憶手段と、該記憶手段の出力信号と前記画像信号変換手段の出力信号とを切り換えて出力する切換手段と、前記記憶手段及び前記切換手段を制御する制御手段と、前記記憶手段からの出力信号をフレーム内圧縮する画像信号圧縮手段と、該画像信号圧縮手段からの出力信号を保存する第２の記録媒体に記録する記録装置とを備え、前記制御手段の制御により前記記憶手段に蓄積された一定区間の画面に相当するベースバンドの画像信号の中から任意の画面に相当するベースバンド画像信号を選択し、前記画像信号変換手段からの出力信号に切換えて出力するとともに、上記切り換えて出力した画像信号と同じベースバンドの画像信号を前記画像信号圧縮手段においてフレーム内圧縮した後、前記第２の記録媒体に保存することを特徴とする動画像再生装置。
【請求項５】
請求項４記載の動画像再生装置において、前記フレーム間またはフィールド間圧縮された信号はＭＰＥＧストリームであることを特徴とする動画像再生装置。
【請求項６】
請求項４記載の動画像再生装置において、前記記憶手段は、少なくとも１ＧＯＰの画面を記録できる容量を有していることを特徴とする動画像再生装置。
【発明の詳細な説明】
【０００１】
【発明の属する技術分野】
本発明は、動画像再生装置に関し、特に、フレーム間またはフィールド間圧縮された画像信号をベースバンドの画像信号に変換して出力表示するとともに、この出力表示した画像と同じ画像を特殊再生することのできる動画像再生装置に関する。
【０００２】
【従来の技術】
近時、ＭＰＥＧ方式によって圧縮された画像信号が磁気テープや光ディスクのような記録媒体に記録され、膨大な情報が蓄積できるようなった。これらの記録媒体に記録された情報は静止画としてみれば何千枚、何万枚の画面が記録されているのと同じであり、例えば旅行などに出かけて、動画像として記録された多くの画面の中から、心に残る画面を取り出して保存しておきたいという要求はしばしば起こり得る。
【０００３】
ところで、ＭＰＥＧ方式では、ＧＯＰ（Ｇｒｏｕｐ　Ｏｆ　Ｐｉｃｔｕｒｅ）という１５枚程のフレームからなる画像信号を一まとまりの処理単位とし、このＧＯＰ毎に符号化される。
この１つのＧＯＰには、図５に示すように、Ｉピクチャ（Ｉｎｔｒａ−ｃｏｄｅｄ　Ｐｉｃｔｕｒｅ：フレーム内符号化画像）と、Ｐピクチャ（Ｐｒｅｄｉｃｔｉｖｅ−ｃｏｄｅｄ　Ｐｉｃｔｕｒｅ：フレーム順方向予測符号化画像）と、Ｂピクチャ（Ｂｉｄｉｒｅｃｔｉｏｎａｌｌｙ　Ｐｒｅｄｉｃｔｉｖｅ−ｃｏｄｅｄ　Ｐｉｃｔｕｒｅ：双方向予測符号化画像）という３つのタイプの画像が含まれている。一般に、Ｉピクチャのようにフレーム内圧縮画像のみで構成される画像であれば、１画面（コマ）ずつコマ送りして任意の１コマを捜すことが比較的容易に可能であるが、ＭＰＥＧ方式によって圧縮された画像信号のように、フレーム間圧縮された画像信号を復号化する場合、とりわけ、一つのＧＯＰが長い場合や複数のＧＯＰをまたがった場合には、１画面ずつコマ送りして任意の１コマを捜すための機械的制御や復号化処理が複雑になっていた。
【０００４】
図６は、従来の動画像再生装置を示すものであり、１は磁気テープ、ディスク等の動画像記録媒体を再生する再生装置であり、この磁気テープやディスク等の動画像記録媒体にはフレーム間圧縮されたＭＰＥＧ画像信号が記録されている。この再生装置１により再生されたフレーム間圧縮されたＭＰＥＧ画像信号をＭＰＥＧ復号化器２に供給する。ＭＰＥＧ復号化器２は、再生制御部３の制御の下で再生される動画像記録媒体再生装置１からのフレーム間圧縮された画像信号をベースバンドの画像信号に変換する。この再生制御部３は、動画像記録媒体の再生装置１及びＭＰＥＧ復号化器２に対して所定の制御を行い、ＭＰＥＧ復号化器２から得られるベースバンドの画像信号を画像出力部４に供給する。画像出力部４は、ＭＰＥＧ復号化器２から供給されるベースバンド画像信号を画像表示部５に出力して画像表示を行う。
【０００５】
斯かる従来の動画像再生装置によれば、磁気テープや光ディスクのような記録媒体に蓄積されたフレーム間圧縮画像信号（以下、「ＭＰＥＧストリーム」という。）は、再生装置１で再生されて、ＭＰＥＧ復号化器２に供給される。ＭＰＥＧ復号化器２に供給されたＭＰＥＧストリームはＭＰＥＧ復号化器２で復号され、ベースバンドの画像信号に変換されて画像出力部４を介して画像表示部５において表示される。
【０００６】
【発明が解決しようとする課題】
ここで、画像表示された画面の中から、心に残る画面を選択し、静止画として再度見たいという要求がしばしば起り得る。このような場合、従来の動画像再生装置では、再生制御部３で、再生装置１の磁気テープやディスク等の動画像記録媒体の中から希望する画面を選び出す必要があるが、特に、ＭＰＥＧストリームのようにピクチャー間の相関を用いて符号化を行っているフレーム間（あるいはフィールド間）圧縮された画像信号の場合には、複数の画面が互いに関連しあっているので、再生装置１によって、希望する画面に相当する画像信号を選択することが容易ではなかった。
【０００７】
すなわち、ピクチャー間（フレーム間またはフィールド間）の相関を用いないで圧縮を行うフレーム内圧縮方式であれば、圧縮後の画像信号と非圧縮の画面に相当する画像信号が１対１に対応しているので、再生時にはどの画面に対応する画像信号も同じ動作で復号化が可能であるが、フレーム間もしくはフィールド間圧縮されたＭＰＥＧストリームは、元の画像の１ＧＯＰ分の画面に相当する画像信号が互いに情報を共有しているので、１ＧＯＰ分をまとめて復号化しないと完全な状態で再生できないという問題がある。
【０００８】
言い換えると、１ＧＯＰ内の各画面は、前述のように、フレーム内圧縮で完結しているＩピクチャー以外に、他の画面と相関を持つＰピクチャー及びＢピクチャーの性質が異なる３種類の画面からなるので、これらの異なる種類の画面を含むＭＰＥＧストリームを静止画再生、スロー再生あるいはコマ送り再生などの特殊再生を行う場合には、再生制御部３で通常の再生とは違った処理が必要になる。すなわち、Ｉピクチャーだけならフレーム内圧縮画面と同程度の処理で復号化が可能であるが、ＰピクチャーまたはＢピクチャーを復号化しようとすると、Ｉピクチャーとその前後の画面の情報が必要となり、結局、１画面を復号化するにも、１ＧＯＰ分の画面の処理が必要になって、ＭＰＥＧ復号化器２を制御するための再生制御部３の負担が著しく増大するのである。
【０００９】
更に、動画像記録媒体が磁気テープなどのテープ媒体の場合には、常時１ＧＯＰ分のＭＰＥＧストリームを拾うための機械的な制御が複雑になり、正方向あるいは逆方向にテープを移動させて、必要とする画面が含まれる１ＧＯＰの画面に相当する画像信号を抽出しなければならず、再生制御部３で再生装置１を制御する時間が増大し、ユーザーからみたレスポンスが極めて悪いものとなっていた。
【００１０】
また、動画像記録媒体がディスクであれば、ディスク上の必要とする１ＧＯＰ分の画面へのアクセスはテープ媒体に比べて比較的容易になされるものの、再生制御部３がＭＰＥＧ復号化器２を制御するに際して、ＭＰＥＧ復号化器２の中で必要とする画面に対応する画像信号を探し出すための制御が困難であるという問題があった。
【００１１】
一方、特開平１０−９８７１３号公報には、ＭＰＥＧ方式により符号化された映像信号を適切にスイッチングすることのできる映像信号切換装置であって、ＭＰＥＧストリームをピクチャー単位でスイッチングすると、切り換えた位置付近で適切に復号化することができなくなってその部分の画質が劣化するので、任意の箇所でスイッチングを行う必要がある場合には、符号化された映像信号を一度全部復号化し、復号化された映像信号を用いてスイッチングを行い、スイッチングされた映像信号を再び符号化する技術が従来の例として記載されている。そして、このような方法では、全映像信号に対して符号化を繰り返すことになるので、画質の劣化を招くという問題があったため、スイッチングを行う箇所のみＧＯＰ単位で復号化を行い、この復号化された映像信号を用いて、ピクチャー単位でスイッチングを行い、再び符号化し、符号化されたまま用いる他の部分の信号と整合するように、そのスイッチング箇所のＧＯＰを新たなＭＰＥＧストリーム中に配置する技術が開示されている。
【００１２】
しかしながら、上記特開平１０−９８７１３号公報に記載されている技術は、あくまでも２つのＭＰＥＧストリームを切り換えて出力する際に、復号化をＧＯＰ単位で行うというだけのものであり、動画像記録媒体にＭＰＥＧ方式で圧縮されて記録されているＭＰＥＧストリームを表示した後に、ユーザーが希望する画面をコマ送り再生あるいはスロー再生、静止画再生するという本発明の課題と解決手段についてはまったく開示がなく、その示唆もされていない。
【００１３】
本発明は、かかる点に鑑み、ＭＰＥＧストリームの再生中に、心に残る画面があったときなどに、すばやくかつ簡単な方法で、静止画再生、スロー再生あるいはコマ送り再生などの特殊再生を行うことができるようにした動画像記録再生装置を提供することである。
更に、必要な画面に対応した画像信号については、フレーム内画像圧縮を行った後、固体メモリー等の画像記録媒体に記録保存できるようにした動画像再生装置を提供するものである。
【００１４】
【課題を解決するための手段】
本発明に係る動画像再生装置は、フレーム間またはフィールド間圧縮された画像信号が記録された記録媒体を再生する再生手段と、該再生手段により再生されたフレーム間またはフィールド間圧縮画像信号をベースバンドの画像信号に変換する画像信号変換手段と、変換されたベースバンドの画像信号を記憶する記憶手段と、該記憶手段の出力信号と前記画像信号変換手段の出力信号とを切り換えて出力する切換手段と、前記記憶手段及び前記切換手段を制御する制御手段と、切換手段からの画像信号を出力表示する画像出力部からなる動画像再生装置であり、画像信号変換手段で変換されたベースバンド画像信号のうちの任意の一定区間の画面に対応する画像信号を上記記憶手段に記憶するとともに、画像信号変換手段からのベースバンドの画像信号と上記記憶手段に蓄積されたベースバンドの画像信号をユーザーが任意に切り替えて画像出力部に供給して画像表示するようにしたものである。
【００１５】
本発明の動画像再生装置によれば、ＭＰＥＧストリームのようにピクチャー間の相関を用いて符号化を行っているフレーム間（あるいはフィールド間）圧縮された画像信号のように、複数の画面が互いに関連しあっている場合であっても、スロー再生、コマ送り再生、あるいは静止画再生などの特殊再生を行う際に、希望する画面に相当する画像信号を容易に選択することができる。
【００１６】
また、本発明に係る動画像再生装置は、上記手段に加えて、フレーム内画像圧縮手段と固体メモリー等の画像記録媒体を備え、メモリーに蓄積された画面情報をいったんフレーム内画像圧縮を行った後、画像記録媒体に記録することも可能とする。
【００１７】
【発明の実施の形態】
以下、本発明の動画像再生装置の実施の形態の一例を図１と図３を参照して説明する。この図１において、図６の従来の装置に対応する部分には同一符号を付して示す。なお、以下の説明では、ＭＰＥＧ方式の圧縮はフレーム間圧縮として説明するが、フィールド間圧縮の場合も本発明が同じく適用できることは言うまでもない。
【００１８】
図１は、本例の動画像再生装置の構成を示すブロック図である。動画像記録媒体の再生装置１は、磁気テープ、ディスク等の動画像記録媒体を再生する再生装置であり、この磁気テープやディスク等の動画像記録媒体にはフレーム間圧縮されたＭＰＥＧストリームの画像信号が記録されている。この再生装置１により再生されたフレーム間圧縮されたＭＰＥＧストリームの画像信号をＭＰＥＧ復号化器２に供給する。ＭＰＥＧ復号化器２は、再生制御部３の制御の下で再生される動画像記録媒体の再生装置１からのフレーム間圧縮された画像信号をベースバンドの画像信号に変換するものである。この再生制御部３は、動画像記録媒体の再生装置１及びＭＰＥＧ復号化器２に対して所定の制御を行う。
【００１９】
本例においては、このＭＰＥＧ復号化器２から得られるベースバンドの画像信号をセレクタ７の一方の固定接点ａに供給するとともに、数画面以上例えば１ＧＯＰの画面を蓄積できる容量を持つメモリー６に供給する。このメモリー６の出力側に得られる画像信号をセレクタの他方の固定接点ｂに供給し、このセレクタ７の可動接点ｃに得られる画像信号を画像出力部４に供給する。そして、画像出力部４は、ＭＰＥＧ復号化器２から供給されるベースバンド画像信号を画像表示部５に出力して画像表示を行う。
【００２０】
また、本例においては、このメモリー６とセレクタ７をメモリ制御部８で制御している。このメモリー制御部８は、メモリー６へのベースバンドの画像信号の書き込み及び読み出しの制御と、セレクタ７の可動接点ｃの切り換えを制御するものであるが、特に、メモリー６へのベースバンド画像信号の書き込みの中止及びメモリー６からのベースバンド画像信号の読み出しの開始とセレクタ７の可動接点ｃの切り換えは、表示画面を見ているユーザーからの指令（不図示の入力装置（キーボード等）からの指令）に基づいて行われる。
【００２１】
以下、この実施の形態の作用を図３に基づいて説明する。再生制御部３の制御の下で、磁気テープまたはディスクなどの記録媒体に蓄積されたＭＰＥＧストリームが動画像記録媒体の再生装置１から読み出される（Ｓ１）。読み出されたＭＰＥＧストリームは、ＭＰＥＧ復号化器２に送られ、再生制御部３の制御下で復号化されてベースバンドの画像信号に変換される（Ｓ２）。次に、ＭＰＥＧ復号化器２によって変換されたベースバンドの画像信号は、セレクタ７の一方の固定接点ａと可動接点ｃを介して、画像出力部４に供給され、さらに画像表示部５で表示される（Ｓ３）。そして、このＭＰＥＧ復号化器２によって変換されたベースバンドの画像信号は、同時に、数画面以上の容量、例えば１ＧＯＰの画面分の容量を持つメモリー６に供給され記憶される（Ｓ４）。ここで、記録媒体に蓄積された動画像を通常速度で再生する場合には、セレクタ７の可動接点ｃは一方の固定接点ａ側に倒しておくので、図５の従来の動画像再生装置と同様の再生画像が画像出力部４に出力されるが、同時に、メモリー制御部８はメモリー６を常時書き込み状態にしておくので、メモリー６には、常に新しい画面が書き込まれ更新されている。すなわち、１枚１枚の新しい画面に相当するベースバンドの画像信号がリアルタイムでメモリー６に蓄積されていき、メモリー６の容量を越えると古い画面に対応する画像信号は順次上書きされ消されてゆく。
【００２２】
画像表示部５のモニターを見たユーザーが特殊再生を希望する場合（Ｓ５）には、不図示の入力装置（キーボード等）からのユーザー指令に基づき、メモリー制御部８がセレクタ７の可動接点ｃを一方の固定接点ａ側から他方の固定接点ｂ側に切り換える（Ｓ６）。このセレクタ７の可動接点ｃが一方の固定接点ａから他方の固定接点ｂに切り換わると、メモリー制御部８は、ＭＰＥＧ復号化器２から供給されるベースバンドの画像信号のメモリー２へ書き込みを中止し、メモリー２に既に書き込まれているベースバンドの画像信号が、セレクタ７の他方の固定接点ｂと可動接点ｃを経て、画像出力部４に供給される。この状態では、停止画面から遡ってメモリー容量分（例えば、１ＧＯＰ分）の画面に対応するベースバンドの画像信号がメモリー６に蓄積されている。そして、画像出力部４から出力されるベースバンド画像信号は画像表示部５で表示される。このとき、再生制御部３は、動画像記録媒体の再生装置１の再生及びＭＰＥＧ復号化器２の作動を停止させている。
【００２３】
ここで、メモリー６にはベースバンドの画像信号として複数画面（例えば１ＧＯＰの画面分）が１枚１枚保存されているので、メモリー制御部８の読み出し制御は比較的簡単に行うことができる。例えば、静止画を出し続ける場合は、メモリー制御部８は、メモリー６の同じ画面を繰り返しアクセスするように制御する。また、正方向または逆方向のコマ送りは、不図示の入力装置からのユーザー指令に応じて、メモリー６に蓄積されている画面を順番にアクセスすることにより容易に実現できる。このとき、動画像記録媒の再生装置１、ＭＰＥＧ復号化器２は不作動状態になっているため、磁気テープやディスクへのアクセスを行うための機械的制御が不要となるので、レスポンスは極めて良好になり、１画面単位のサーチが非常に早くなる。
【００２４】
次に、本発明動画像再生装置の実施の形態の他の例を、図２と図４に基づいて説明する。図２において、図６及び図１に対応するブロックには同じ符号を付してある。
【００２５】
図２の例は、図１の例の動画像再生装置に、更に、フレーム内画像圧縮部９と第２の画像記録媒体１０が付加されている。動画像記録媒体の再生装置１は、磁気テープ、ディスク等の動画像記録媒体を再生する再生装置であり、この磁気テープやディスク等の動画像記録媒体にはフレーム間圧縮されたＭＰＥＧストリームの画像信号が記録されている。この再生装置１により再生されたフレーム間圧縮されたＭＰＥＧストリームの画像信号をＭＰＥＧ復号化器２に供給する。ＭＰＥＧ復号化器２は、再生制御部３の制御の下で再生される動画像記録媒体の再生装置１からのフレーム間圧縮された画像信号をベースバンドの画像信号に変換するものである。この再生制御部３は、動画像記録媒体の再生装置１及びＭＰＥＧ復号化器２に対して所定の制御を行う。このＭＰＥＧ復号化器２から得られるベースバンドの画像信号をセレクタ７の一方の固定接点ａに供給するとともに、数画面以上例えば１ＧＯＰの画面を蓄積できる容量のメモリー６に供給する。このメモリー６の出力側に得られる画像信号をセレクタの他方の固定接点ｂに供給するとともに、フレーム内圧縮部９に供給する。このセレクタ７の可動接点ｃに得られる画像信号を画像出力部４に供給する。そして、画像出力部４は、セレクタ７に得られる、ＭＰＥＧ復号化器２からのベースバンドの画像信号またはメモリー６から読み出されるベースバンドの画像信号を画像表示部５に出力して画像表示を行う。
【００２６】
フレーム内画像圧縮部９は、例えばＪＰＥＧ圧縮のようなフレーム内で完結した圧縮方式による画像圧縮部であり、フレーム内画像圧縮部９の出力側に得られるフレーム内圧縮画像信号を画像記録媒体に記録する記録装置１０に供給する。ここで、画像記録媒体は、フレーム内画像圧縮部９でフレーム内圧縮された静止画を記録する半導体メモリー等である。この画像記録媒体への記録装置１０は、動画像再生装置の内部に設けてもよいが、装置の外部に設けることも可能である。
【００２７】
以下に、この発明の動画像再生装置の実施形態の他の例の作用を、図３を用いて説明する。まず、磁気テープまたはディスクなどの記録媒体に蓄積されたＭＰＥＧストリームが動画像記録媒体の再生装置１から読み出される（Ｓ１）。読み出されたＭＰＥＧストリームは、ＭＰＥＧ復号化器２に送られ、再生制御部３の制御下で復号化されてベースバンドの画像信号に変換される（Ｓ２）。次に、ＭＰＥＧ復号化器２によって変換されたベースバンドの画像信号は、セレクタ７の一方の固定接点ａと可動接点ｃを介して、画像出力部４に供給され、さらに画像表示部５で表示される（Ｓ３）。そして、このＭＰＥＧ復号化器２によって変換されたベースバンドの画像信号は、同時に、数画面以上の容量、例えば１ＧＯＰの容量をもつメモリー６に供給され記憶される（Ｓ４）。
【００２８】
画像表示部５のモニターを見たユーザーが特殊再生を希望する場合（Ｓ５）には、不図示の入力装置（キーボード等）からのユーザー指令に基づき、メモリー制御部８がセレクタ７の可動接点ｃを一方の固定接点ａ側から他方の固定接点ｂ側に切り換える（Ｓ６）。そして、更に、ユーザーが画像表示部５で表示された画面の中から記録に残したい画面を見つけ保存したいと思ったときは（Ｓ７）、メモリー６に蓄積された複数の画面（例えば１ＧＯＰの画面）の中から、ユーザーが保存しておきたいと思う画面を１枚選んで、フレーム内画像圧縮部９に取り込み、フレーム内画像圧縮した後、画像記録媒体の記録装置１０で半導体メモリー等の画像記録媒体に記録して保存する（Ｓ８）。
【００２９】
この動作を自動的に繰り返すと、メモリー６の中にある全画面が、フレーム内画像圧縮部９で画像圧縮された画像圧縮信号として画像記録媒体に書き込まれることになる。このように、メモリー６に取り込まれ蓄積された画面をすべて、半導体メモリー等の画像記録媒体に取り込んでから、その蓄積された画面を、１枚毎にめくりながら希望する画面を選ぶことができる。これにより、いわゆるスチルカメラの連写感覚で、ある期間連続撮影した動画像の中から決定的シーンを選ぶことができ、希望する画面を簡単に選択可能となる。また、元のフレーム間圧縮された動画像の画面をコマ落ちすることなくフレーム内圧縮画像として保存することもできる。
【００３０】
なお、本発明は上述の例に限ることなく、本発明の要旨を逸脱しない範囲で、その他の種々の構成が取りうることはもちろんである。
【００３１】
【発明の効果】
以上説明したように、本発明の動画像再生装置によれば、フレーム間圧縮された動画像を、スロー再生、コマ送り再生あるいは静止画再生等の特殊再生を行う場合、複雑な機械的制御を必要とせずに、蓄積された複数画面の中からユーザーが必要とする画面を簡単に取り出して再生または保存することができる。
【図面の簡単な説明】
【図１】本発明動画像再生装置の実施形態の一の例を示すブロック図である。
【図２】本発明動画像再生装置の実施形態の他の例を示すブロック図である。
【図３】本発明動画像再生装置の実施形態の一の例の動作を説明するためのフロー図である。
【図４】本発明動画像再生装置の実施形態の他の例の動作を説明するためのフロー図である。
【図５】ＭＰＥＧ方式で用いる画像圧縮符号化を説明するための図である。
【図６】従来の動画像再生装置を示すブロック図である。
【符号の説明】
１…動画像記録媒体の再生装置、２…ＭＰＥＧ復号化器、３…再生制御部、４…画像出力部。５…画像表示部、６…メモリー、７…セレクタ、８…メモリー制御部、９…フレーム内画像圧縮部、１０…記録装置。
【図１】
2004015438.tif 000003
【図２】
2004015438.tif 000004
【図３】
2004015438.tif 000005
【図４】
2004015438.tif 000006
【図５】
2004015438.tif 000007
【図６】
2004015438.tif 000008